(57)【要約】【課題】体への影響を適切にユーザへ提示することが可能な情報処理システム、情報処理装置、端末装置、サーバ、情報処理方法および情報処理プログラムを提供する。【解決手段】端末装置１は、制御部１２は、操作入力部１２１と、出力部１２２と、探索条件設定部１２３と、探索要求送信部１２４と、パラメータ情報取得部１２５と、情報受信部１２６とを有する。サーバ２は、経路ネットワーク情報取得部２３１と、探索要求受信部２３２と、経路探索部２３３と、パラメータ情報取得部２３４と、指標値算出部２３５とを有する。バイオリズム情報等、時間の経過とともに変化するパラメータ情報を考慮して、体への影響度を示す健康指標値を算出する。そのため、体への影響を適切にユーザへ提示することができる。【選択図】図１
2013198656.tif 000002
【特許請求の範囲】
【請求項１】
時間の経過とともに変化するパラメータ情報を取得するパラメータ情報取得手段と、
前記パラメータ情報を考慮して、所定の経路を移動する際の体への影響度を示す健康指標値を算出する指標値算出手段と、
少なくとも前記健康指標値を含む健康情報を出力する出力手段と、を備えることを特徴とする情報処理システム。
【請求項２】
前記パラメータ情報は、天気情報およびバイオリズム情報のうちの少なくとも１つを含むことを特徴とする請求項１に記載の情報処理システム。
【請求項３】
前記パラメータ情報取得手段は、前記経路の出発時刻から到着時刻までのいずれか少なくとも１つの時刻に対応するパラメータ情報を取得することを特徴とする請求項１又は２に記載の情報処理システム。
【請求項４】
前記指標値算出手段は、経路中の移動手段の種別に応じて、前記健康指標値を算出することを特徴とする請求項１乃至３のいずれかに記載の情報処理システム。
【請求項５】
前記指標値算出手段は、前記経路を移動する際の消費カロリーを、前記パラメータ情報に応じて調整して、前記健康指標値を算出することを特徴とする請求項１乃至４のいずれかに記載の情報処理システム。
【請求項６】
前記健康指標値を記憶する指標値記憶手段と、
前記指標値記憶手段に記憶された健康指標値に対して統計処理を行う統計処理手段と、を備え、
前記出力手段は、前記統計処理の結果を出力することを特徴とする請求項１乃至５のいずれかに記載の情報処理システム。
【請求項７】
前記指標値記憶手段は、前記経路に沿ってユーザが前記経路を移動した後に、前記健康指標値を記憶することを特徴とする請求項６に記載の情報処理システム。
【請求項８】
前記健康指標値に関する目標値を設定する目標設定手段を備え、
前記出力手段は、前記統計処理の結果と前記目標値とを出力することを特徴とする請求項６または７に記載の情報処理システム。
【請求項９】
前記出力手段は、経路探索時の前記パラメータ情報に基づいて、前記目標値に到達するためのアドバイスを出力することを特徴とする請求項８に記載の情報処理システム。
【請求項１０】
前記統計処理手段は、所定の基準日以降の健康指標値を累積し、
前記出力手段は、前記所定の基準日以降の健康指標値の累積値を出力することを特徴とする請求項６乃至９のいずれかに記載の情報処理システム。
【請求項１１】
前記出力手段は、複数のユーザから構成されるグループに所属するユーザのうちの少なくとも一部のユーザに関する統計処理の結果を出力することを特徴とする請求項６乃至１０のいずれかに記載の情報処理システム。
【請求項１２】
時間の経過とともに変化するパラメータ情報を取得するパラメータ情報取得手段と、
前記パラメータ情報を考慮して、所定の経路を移動する際の体への影響度を示す健康指標値を算出する指標値算出手段と、
少なくとも前記健康指標値を含む健康情報を出力する出力手段と、を備えることを特徴とする情報処理装置。
【請求項１３】
時間の経過とともに変化するパラメータ情報を考慮して算出された、所定の経路を移動する際の体への影響度を示す健康指標値を少なくとも含む健康情報を出力する出力手段を備えることを特徴とする端末装置。
【請求項１４】
時間の経過とともに変化するパラメータ情報を取得するパラメータ情報取得手段と、
前記パラメータ情報を考慮して、所定の経路を移動する際の体への影響度を示す健康指標値を算出する指標値算出手段と、を備えることを特徴とするサーバ。
【請求項１５】
時間の経過とともに変化するパラメータ情報を取得するステップと、
前記パラメータ情報を考慮して、所定の経路を移動する際の体への影響度を示す健康指標値を算出するステップと、
少なくとも前記健康指標値を含む健康情報を出力するステップと、を備えることを特徴とする情報処理方法。
【請求項１６】
時間の経過とともに変化するパラメータ情報を取得するステップと、
前記パラメータ情報を考慮して、所定の経路を移動する際の体への影響度を示す健康指標値を算出するステップと、
少なくとも前記健康指標値を含む健康情報を出力するステップと、をコンピュータに実行させる情報処理プログラム。
【発明の詳細な説明】
【技術分野】
【０００１】
本発明は、情報処理システム、情報処理装置、端末装置、サーバ、情報処理方法および情報処理プログラムに関する。
【背景技術】
【０００２】
出発地から目的地までの経路を探索して案内するナビゲーション装置が知られている。また携帯電話などの端末装置から経路探索サーバへ経路探索要求を送信し、経路探索サーバで探索された経路を端末装置に表示するナビゲーションシステムも用いられるようになってきている。このようなナビゲーションシステムにより、ユーザは小型の端末装置を用いて経路を探索でき、容易に持ち運びながら利用することができる。
【０００３】
ところで、人間が快適に生活していくうえで、個々人の健康管理は非常に重要である。そのため、近年では、単に経路を探索するだけでなく、健康管理も行う装置が提案されている。
【０００４】
例えば、特許文献１には、目標消費カロリーの情報に基づいて経路を探索して表示する携帯型経路案内装置が開示されている。また、特許文献２には、経路探索にあたって、仮目的地を設定し、仮目的地から目的地までの消費カロリーを計算して表示する経路案内装置が開示されている。特許文献２では複数の仮目的地が設定されるため、消費カロリーを考慮して、ユーザはそのうちの１つを選択することができる。
【先行技術文献】
【特許文献】
【０００５】
【特許文献１】特開２００８−３０９５３６号公報
【特許文献２】特開２００９−３６６１８号公報
【発明の概要】
【発明が解決しようとする課題】
【０００６】
上記の特許文献１，２は、いずれも経路と消費カロリーとが１対１に対応しており、経路が一定であれば常に一定の消費カロリーが算出される。しかしながら、消費カロリーが健康に与える影響は必ずしも常に一定であるとは限らず、時間の経過とともに変動することがある。そのため、適切な健康管理が行えていないという問題がある。
【０００７】
本発明は上記の問題点に鑑みてなされたものであり、その目的は、体への影響を適切にユーザへ提示することが可能な情報処理システム、情報処理装置、端末装置、サーバ、情報処理方法および情報処理プログラムを提供するものである。
【課題を解決するための手段】
【０００８】
本発明の一態様によれば、時間の経過とともに変化するパラメータ情報を取得するパラメータ情報取得手段と、前記パラメータ情報を考慮して、所定の経路を移動する際の体への影響度を示す健康指標値を算出する指標値算出手段と、少なくとも前記健康指標値を含む健康情報を出力する出力手段と、を備えることを特徴とする情報処理システムが提供される。
【発明の効果】
【０００９】
本発明によれば、時間の経過とともに変化するパラメータ情報を考慮して健康指標値を算出するため、体への影響を適切にユーザへ提示することができる。
【図面の簡単な説明】
【００１０】
【図１】本発明の第１の実施形態に係る情報処理システムの概略ブロック図。
【図２】女性のバイオリズムを概略的に示す図。
【図３】情報処理システムの処理動作の一例を示すシーケンス図。
【図４】出力部１２２に表示される画面の一例を示す図。
【図５】本発明の第２の実施形態に係る情報処理システムの概略ブロック図。
【図６】情報処理システムの処理動作の一例を示すフローチャート。
【図７】出力部１２２に表示される画面の一例を示す図。
【図８】体重の変化の一例を示す図。
【図９】指標値記憶部２２２のデータ構造の一例を示す図。
【発明を実施するための形態】
【００１１】
以下、本発明に係る実施形態について、図面を参照しながら具体的に説明する。
【００１２】
（第１の実施形態）
図１は、本発明の第１の実施形態に係る情報処理システムの概略ブロック図である。情報処理システムは、端末装置１と、サーバ２と、ネットワーク３とを備えている。図示のように、端末装置１はネットワーク３を介してサーバ２と通信を行う。
【００１３】
端末装置１はユーザが使用するものであり、例えば携帯電話、スマートフォンもしくはタブレット端末装置等のモバイル電子機器でもよいし、パーソナルコンピュータ等でもよい。端末装置１およびサーバ２の少なくとも一部は、コンピュータにより実現される。また、ネットワーク３は有線回線と無線回線のいずれでもよく、回線の種類や形態は問わない。
【００１４】
端末装置１は、通信部１１と、制御部１２とを有する。
【００１５】
通信部１１はネットワーク３を介して制御部１２とサーバ２との間で情報を送受信するインターフェースである。
【００１６】
制御部１２は、操作入力部１２１と、出力部１２２と、探索条件設定部１２３と、探索要求送信部１２４と、パラメータ情報取得部１２５と、情報受信部１２６とを有する。
【００１７】
操作入力部１２１はユーザが端末装置１に操作を入力するためのインターフェースであり、例えばモバイル電子機器におけるキーボード、タッチパッドもしくはダイヤルボタン等や、据え置き型の電子機器におけるタッチパネルやマイク等である。
【００１８】
出力部１２２は端末装置１からユーザへ各種情報を出力するインターフェースであり、例えば映像を表示する液晶ディスプレイである。具体的には、出力部１２２は、ユーザからの操作を受け付けるためのＧＵＩ（Graphical User Interface）や、後述する経路情報、健康指標値を含む健康情報等を表示する。あるいは、出力部１２２は、経路情報、健康情報等を音声で出力するものであってもよい。また、出力部１２２は、これらの情報をユーザへ提示するものでなく、端末装置１内、あるいは、外部の記憶装置へ出力して記憶させるものでもよい。
【００１９】
探索条件設定部１２３は、ユーザから操作入力部１２１を介して、出発地、目的地、時刻に関する情報等の条件を受け付けることにより、探索条件を設定する。
【００２０】
探索要求送信部１２４は、通信部１１からネットワーク３を介して、探索条件を含む探索要求をサーバ２に送信し、探索条件に基づいて経路探索を行うようサーバ２に要求する。
【００２１】
パラメータ情報取得部１２５は時間の経過とともに変化するパラメータ情報を取得するとともに、取得したパラメータ情報を、通信部１１からネットワーク３を介してサーバ２に送信する。なお、パラメータ情報については後述する。
【００２２】
情報受信部１２６は、サーバ２により生成される経路情報や健康情報等を、ネットワーク３を介して通信部１１から受信する。
【００２３】
一方、サーバ２は、通信部２１と、記憶部２２と、制御部２３とを有する。
【００２４】
通信部２１はネットワーク３を介して制御部２３と端末装置１との間で情報を送受信するインターフェースである。
【００２５】
記憶部２２は、経路ネットワーク情報記憶部２２１を有する、例えばハードディスク等の固定型データストレージである。より具体的には、経路ネットワーク情報記憶部２２１は経路ネットワークデータベースを記憶する。経路ネットワークデータベースは、経路ネットワーク情報として、例えば地図情報および交通ネットワーク情報を含む。
【００２６】
地図情報は、地図データと、地図データに対応付けられた施設に関する施設情報とを含む。地図データは、一般道路、有料道路、及び高速道路等の車両用道路の地図を示す。交通ネットワーク情報は、鉄道やバス等の交通網や道路網を規定する情報である。交通網の情報としては、交通機関の路線情報、時刻表情報、料金情報等を含む。道路網の情報は、例えば交差点等の道路網表現上の結節点であるノードのデータと、ノード間の道路区間であるリンクのデータとの組み合わせによって表現される。地図情報および経路ネットワーク情報は、経路探索に用いられる。
【００２７】
なお、記憶部２２は、必ずしもサーバ２内に設けなくてもよく、ネットワーク３を介して接続される別個の装置内に設けてもよい。
【００２８】
制御部２３は、経路ネットワーク情報取得部２３１と、探索要求受信部２３２と、経路探索部２３３と、パラメータ情報取得部２３４と、指標値算出部２３５とを有する。
【００２９】
経路ネットワーク情報取得部２３１は記憶部２２から経路ネットワーク情報を取得する。
【００３０】
探索要求受信部２３２は、端末装置１の探索要求送信部１２４から送信される探索要求を、ネットワーク３を介して通信部２１から受信する。この探索要求には、探索条件設定部１２３で設定された探索条件が含まれている。
【００３１】
経路探索部２３３は、経路ネットワーク情報を用い、探索条件に基づいて経路探索を行って、経路情報を生成する。経路情報は、例えば出発地から目的地までの移動手段や移動距離、移動に要する時間および料金、出発時刻および到着時刻等の情報を含む。経路情報は、通信部２１からネットワーク３を介して端末装置１に送信されるとともに、指標値算出部２３５の処理に用いられる。
【００３２】
パラメータ情報取得部２３４は、端末装置１のパラメータ情報取得部１２５から送信されるパラメータ情報を、ネットワーク３を介して通信部２１から受信する。
【００３３】
指標値算出部２３５は、パラメータ情報を考慮して、経路探索部２３３が探索した経路を移動する際の体への影響度を示す健康指標値を算出する。よって、仮に探索された経路が一定であっても、時間の経過ととともに変化するパラメータ情報に応じて異なる健康指標値が算出されることがある。また、指標値算出部２３５は、算出された健康指標値を含む健康情報を生成し、通信部２１からネットワーク３を介して、端末装置１に送信する。
【００３４】
ここで、「健康指標値」および「時間の経過とともに変化するパラメータ情報」について説明する。健康指標値とは、探索された経路を移動する際の体への影響度、例えば体重の減少への貢献度を示す値である。この場合の健康指標値は、例えば経路を移動する際の消費カロリーに基づいて算出することができる。ただし、健康指標値は消費カロリーそのものではない。例えば、ダイエットをする場合、より高いカロリーを消費する必要があるが、日によっては、一定のカロリーを消費しても、痩せやすい日と痩せにくい日とがある。
【００３５】
図２は、女性のバイオリズムを概略的に示す図であり、横軸は生理日を基準とする日の経過を示し、縦軸は体重を示す。同図に示すように、痩せやすい日（以下、ヤセ日）と痩せにくい日（以下、いたわり日）が約２８日周期で繰り返される。ここで、バイオリズムとは、生物体内に生じる一定の周期をもった変化をいう。
【００３６】
そこで、経路を移動する日が「ヤセ日」であるか「いたわり日」であるか、を「時間の経過とともに変化するパラメータ情報」とする。そして、指標値算出部２３５は、同一の経路であっても、「ヤセ日」であれば健康指標値を高く設定し、「いたわり日」であれば健康指標値を低く設定する。「ヤセ日」であれば体重が減少しやすく、健康への影響度が大きいためである。
【００３７】
このように、「ヤセ日」であるか「いたわり日」であるかを考慮して健康指標値を算出することで、ユーザは自身の体に対する影響を的確かつ定量的に理解できる。
【００３８】
「時間の経過とともに変化するパラメータ情報」として、いわゆるダイエット理論の停滞期などを考慮してもよい、また他の例として、経路を移動する日の温度や湿度等の天気情報が挙げられる。温度や湿度が高いほど汗を多くかき、体重が減少しやすいためである。その他、種々のパラメータ情報が考えられるし、複数のパラメータ情報を組み合わせてもよい。また、「健康指標値」は必ずしもダイエットを念頭に置いたものでなくてもよく、体への影響度を示す値であれば特に制限はない。
【００３９】
次に図１の情報処理システムの処理動作について説明する。
【００４０】
図３は、情報処理システムの処理動作の一例を示すシーケンス図である。まず、操作入力部１２１を介したユーザからの操作を受け付け、探索条件設定部１２３は探索条件を設定する（ステップＳ１１）。探索条件は、出発地、目的地および時刻に関する情報を含む。時刻に関する情報として、ユーザは出発または到着の日時および時刻を入力してもよいし、現在時刻を出発時刻としてもよい。
【００４１】
さらに、パラメータ情報取得部１２５は、上述した時間の経過とともに変化するパラメータ情報を取得する（ステップＳ１２）。パラメータ情報の取得法は種々考えられるが、例えば、パラメータ情報取得部１２５は、操作入力部１２１を介したユーザからの操作を受け付けて、パラメータ情報を取得することができる。
【００４２】
また、パラメータ情報取得部１２５は端末装置１内の別のソフトウェア（不図示）からパラメータ情報を取得してもよい。例えば、バイオリズム情報を管理するアプリケーションと連携し、出発日または到着日が「ヤセ日」であるか「いたわり日」であるか、を予測してパラメータ情報を取得してもよい。
【００４３】
あるいは、パラメータ情報取得部１２５はネットワーク３を介してインターネット上からパラメータ情報を取得してもよい。インターネットを利用することにより、例えば、出発時刻から到着時刻までの天気予報に基づいて、天気情報を含むパラメータ情報を取得できる。 
また、端末装置１に温度計あるいは湿度計を設け、現在時刻を出発時刻とする場合に、これらを用いた測定結果をパラメータ情報としてもよい。
【００４４】
いずれの手法でパラメータ情報を取得する場合であっても、より正確に健康指標値を算出するためには、パラメータ情報取得部１２５は、経路を移動する際の出発時刻から到着時刻までのいずれか少なくとも１つの時刻に対応するパラメータ情報を取得するのが望ましい。
【００４５】
そして、探索要求送信部１２４は探索条件を含む探索要求をサーバ２に送信するとともに、パラメータ情報取得部１２５はパラメータ情報をサーバ２に送信する（ステップＳ１３）。
【００４６】
これに応じて、サーバ２の探索要求受信部２３２が探索要求を受信するとともに、パラメータ情報取得部２３４がパラメータ情報を受信する（ステップＳ３１）。そして、経路探索部２３３は、経路ネットワーク情報を用い、探索条件に基づいて経路探索を行って、経路情報を生成する（ステップＳ３２）。経路情報は、例えば出発地から目的地までの経路の他、移動手段や移動距離、移動に要する時間および料金、出発時刻および到着時刻等の情報を含んでいてもよい。
【００４７】
次に、指標値算出部２３５は、パラメータ情報を考慮して、探索された経路を移動する際の健康指標値を算出し（ステップＳ３３）、健康指標値を含む健康情報を生成する。以下、健康指標値が上述した体重の減少への貢献度を示す値である場合を例に取って説明する。
【００４８】
まず、指標値算出部２３５は経路を移動する際の消費カロリーを算出する。より具体的には、経路のうちの歩行区間においては、歩行距離と、予め定めた単位距離あたりの消費カロリーとを乗じて、消費カロリーを算出する。このとき、経路ネットワーク情報に基づいて、歩行区間が登り坂であるか下り坂であるか等を考慮した移動コストの情報や、予め登録されたユーザに固有の情報（例えば体重）をさらに考慮して、より正確に消費カロリーを算出してもよい。また、電車等の交通機関を利用する区間においては、交通機関への乗降の際の消費カロリーを算出してもよい。そして、これらの消費カロリーを経路の全区間で加算する。
【００４９】
以上により算出される消費カロリーは、経路に応じて、あるいは、経路とユーザに固有の情報に応じて定まる値であり、少なくとも時間の経過とともに変化する値ではない。
【００５０】
そこで、指標値算出部２３５は、算出された消費カロリーをパラメータ情報に応じて調整し、健康指標値を算出する。すなわち、健康指標値は消費カロリーおよびパラメータ情報の関数である。例えば、パラメータ情報が「ヤセ日」であれば消費カロリーに第１の係数を乗じ、「いたわり日」であれば消費カロリーに第１の係数より小さい第２の係数を乗じて、健康指標値とする。これにより、同じ消費カロリーであっても、体重が減少しやすい「ヤセ日」には健康指標値が大きくなり、体重が減少しにくい「いたわり日」には健康指標値が小さくなる。
【００５１】
また、健康指標値に対するパラメータ情報の影響度を移動手段の種別に応じて変化させてもよい。例えば、徒歩は「ヤセ日」であるか「いたわり日」であるかが健康指標値に大きく影響するため、徒歩区間では「ヤセ日」の健康指標値と「いたわり日」の健康指標値との差が大きくなるようにする。一方、電車等の交通機関を用いて移動する場合、「ヤセ日」であっても「いたわり日」であってもそれほど健康指標値には影響しないため、「ヤセ日」の健康指標値と「いたわり日」の健康指標値との差が小さくなるようにする。
【００５２】
もちろん、上記は健康指標値の算出法の一例であって、具体的な手法は問わない。例えば、指標値算出部２３５は、複数のパラメータ情報を考慮して健康指標値を算出してもよいし、より複雑な計算を行って健康指標値を算出してもよい。
【００５３】
このようにして指標値算出部２３５により生成された健康情報、および、経路探索部２３３により生成された経路情報が、端末装置１に送信される（ステップＳ３４）。
【００５４】
これに応じて、端末装置１の情報受信部１２６は健康指標値および経路情報を受信する（ステップＳ１４）。そして、出力部１２２は経路情報および健康情報を出力する（ステップＳ１５）。
【００５５】
図４は、出力部１２２に表示される画面の一例を示す図である。同図では、探索の結果、３つの経路が見つかり、そのうちの１番目の経路が表示されている。また、同図（ａ）は出発時刻および到着時刻が「ヤセ日」である例を示しており、同図（ｂ）は出発時刻および到着時刻が「いたわり日」である例を示している。また、健康指標値がダイエットを念頭に置いた値であることを明示するため、健康指標値を「ヤセポイント」と分かりやすく表現している。
【００５６】
図４（ａ），（ｂ）とも経路は同一であるが、図４（ａ）は「ヤセ日」であるため「ヤセポイント」が１２０ポイント（ｐｔ）と大きな値であり、図４（ｂ）は「いたわり日」であるため「ヤセポイント」が９０ポイント（ｐｔ）と小さな値である。痩せやすい日であるか否かを考慮した「ヤセポイント」を表示することで、ユーザは経路を移動する際の体重に対する影響を精度良く把握できる。
【００５７】
また、より直感的に「ヤセポイント」を把握するために、「ヤセポイント」に応じた食べ物の情報を表示してもよい。例えば、「ヤセポイント」がある値以上であればケーキの図を表示し、ある値以下であれば野菜の図を表示してもよい。
【００５８】
このように、第１の実施形態では、バイオリズム情報等、時間の経過とともに変化するパラメータ情報を考慮して、体への影響度を示す健康指標値を算出する。そのため、体への影響を適切にユーザへ提示することができる。
【００５９】
（第２の実施形態）
上述した第１の実施形態は健康指標値を出力するものであったが、以下に説明する第２の実施形態では、健康指標値を記憶して統計処理を行って出力するものである。
【００６０】
図５は、本発明の第２の実施形態に係る情報処理システムの概略ブロック図である。同図では、図１と共通する構成部分には同一の符号を付しており、以下では相違点を中心に説明する。
【００６１】
図５の情報処理システムにおける端末装置１ａの制御部１２ａは、さらに、現在地取得部１２７と、目標設定部１２８とを備えている。
【００６２】
現在地取得部１２７は端末装置１の現在位置を示す現在地情報を取得するものであり、例えばＧＰＳ（Global Positioning System）受信装置である。現在位置は、例えば緯度および経度で表現される。現在地情報は、通信部２１からネットワーク３を介して、サーバ２ａに逐次送信され、経路案内に使用される。
【００６３】
目標設定部１２８は、ユーザから操作入力部１２１を介して、健康指標値に関する目標値を設定する。本実施形態では、健康指標値に関する目標値が、所定の基準日から所定期間内における健康指標値の累積値の目標値である例を示す。累積値の目標値は、例えば現在の体重と目標とする体重との差や、目標の体重になるまでに残された期間等を考慮して、設定される。
【００６４】
一方、サーバ２ａの記憶部２２ａは、さらに、健康指標値を記憶する指標値記憶部２２２を有する。
【００６５】
また、制御部２３ａは、さらに、経路案内部２３６と、統計処理部２３７とを有する。
【００６６】
経路案内部２３６は、探索された経路情報と、端末装置１ａの現在地情報と、を用いて、ユーザが探索された経路に沿って移動できるよう、案内情報を生成する。案内情報は、通信部２１からネットワーク３を介して、端末装置１ａに送信され、出力部１２２に出力される。
【００６７】
統計処理部２３７は、指標値記憶部２２２に記憶された健康指標値に対して統計処理を行い、その結果を通信部２１からネットワーク３を介して端末装置１ａに送信するとともに、必要に応じて指標値記憶部２２２に記憶する。統計処理とは、例えば所定の基準日以降の健康指標値を累積する処理である。
【００６８】
図６は、情報処理システムの処理動作の一例を示すシーケンス図である。本実施形態では、目標設定部１２８が、予め、所定の基準日から所定期間における健康指標値の累積値の目標値を設定しているものとする。ステップＳ１１〜Ｓ１３，Ｓ３１〜Ｓ３３は第１の実施形態とほぼ同様なので説明を省略する。
【００６９】
本実施形態では、経路探索後、サーバ２ａの経路案内部２３６がユーザに対して経路案内を行う（ステップＳ３３１）。より具体的には、経路案内部２３６は、端末装置１ａの現在地情報を受信し（図６には不図示）、ユーザが経路に沿って移動できるよう、案内情報を生成する。案内情報には、例えば端末装置１ａ近辺の地図情報、端末装置１ａが現在どこにあるのか、次にどこで右折あるいは左折すればよいのか、どの交通機関に乗ればよいのか、等の情報を含む。そして、経路案内部２３６は案内情報を端末装置１ａへ送信する（ステップＳ３３２）。
【００７０】
これに応じて、端末装置１ａの情報受信部１２６は案内情報を受信し（ステップＳ１３１）、これを出力部１２２から出力する。案内情報にしたがって、ユーザは経路を移動することができる。
【００７１】
以上の経路案内を、ユーザが目的地に到着するまで、より具体的には、端末装置１ａの現在地と目的地とが一致するまで、行う（ステップＳ３３３）。ユーザが目的地に到着すると（ステップＳ３３３のＹＥＳ）、指標値算出部２３５はステップＳ３３で算出した健康指標値を指標値記憶部２２２に記憶する（ステップＳ３３４）。このように、健康指標値を算出してすぐに指標値記憶部２２２に記憶するのではなく、経路案内終了後に記憶するのが望ましい。その理由は、ユーザは必ずしも探索した経路を移動するとは限らないためである。経路案内終了後に健康指標値を記憶することで、実際にユーザの体に与えた影響を示す健康指標値を指標値記憶部２２２に記憶できる。
【００７２】
その後、統計処理部２３７は、健康指標値に対する統計処理として、所定の基準日以降、指標値記憶部２２２に記憶された健康指標値を累積する（ステップＳ３３５）。そして、統計処理部２３７は、統計処理の結果である累積値を含む健康情報を、端末装置１ａへ送信する（ステップＳ３４’）。この健康情報は、累積値に加え、ステップＳ３３で算出された健康指標値や、目標値までの進捗状況、現在または近日中のパラメータ情報等を含んでいてもよい。
【００７３】
これに応じて、端末装置１ａの情報受信部１２６は健康情報を受信する（ステップＳ１４’）。そして、出力部１２２は累積値を含む健康情報を出力する（ステップＳ１５’）。
【００７４】
図７は、出力部１２２に表示される画面の一例を示す図である。同図は、予め設定された健康指標値の累積値の目標値が「９０００ｐｔ」であるのに対して、現在までに累積された健康指標値の累積値は「５６００ｐｔ」であることを示している。累積値の目標値と実際の累積値とを比較して表示することで、ユーザは目標値と現状との差を簡易に把握できる。
【００７５】
さらに、出力部１２２は、経路探索時のパラメータ情報に基づいて、ユーザに対してアドバイスを出力してもよい。例えば、出力部１２２は現在が「ヤセ日」である場合、「本日はヤセ日！積極的に移動しよう。」と表示する。このアドバイスにしたがうことで、ユーザは無理なく効率よく目標値に到達できる。結果として、図８に示すように、「ヤセ日」と「いたわり日」で体重の増減を繰り返しつつ、体重を減少させることができる。
【００７６】
このように、第２の実施形態では、健康指標値を記憶して統計処理を行う。そのため、予め設定した目標に向かって、ユーザの健康を管理することができる。
【００７７】
なお、本実施形態では「目標値」が健康指標値の累積値であり、「統計処理」が累積処理である例を示したが、これらに限られるものではない。例えば、特に目標値を設定することなく、単に健康指標値の累積値を出力するようにしてもよい。また、統計処理として、例えば月ごとの平均健康指標値を算出し、出力部１２２にグラフ表示してもよい。
【００７８】
また、個人単位で健康を管理するのではなく、サークル、職場、親しい知人等、複数のユーザから構成されるグループ単位で管理を行ってもよい。この場合、健康指標値をユーザおよびグループと関連付けて、指標値記憶部２２２に記憶すればよい。
【００７９】
図９は、指標値記憶部２２２のデータ構造の一例を示す図である。指標値記憶部２２２は、ユーザごとに、各ユーザに固有のＩＤ（ユーザＩＤ）と、ユーザが所属するグループのＩＤ（グループＩＤ）と、目標値と、健康指標値と、累積値等の統計処理結果とを記憶する。健康指標値は、例えば日ごとに記憶される。
【００８０】
そして、統計処理部２３７はユーザ本人の統計処理結果のみならず、同じグループＩＤを有する他のユーザの統計処理結果および目標値を端末装置１ａに送信する。このとき、同じグループＩＤを有する全ユーザの統計処理結果および目標値を送信してもよいし、年齢や性別等でフィルタリングして、一部のユーザの統計処理結果および目標値を送信してもよい。同一グループに所属するユーザの情報を共有でき、グループ内で互いに競争しながら、目標値へ向かって努力することができる。
【００８１】
また、各実施形態のサーバ２，２ａのパラメータ情報取得部２３４は、必ずしも端末装置１，１ａからパラメータ情報を取得しなくてもよく、例えばネットワーク３を介してインターネットから直接パラメータ情報を取得してもよい。
【００８２】
また、図１や図５の構成は一例であり、サーバ２，２ａ内の構成要件の少なくとも一部がそれぞれ端末装置１，１ａ内にあってもよい。例えば、サーバ２，２ａ内の記憶部２２，２２ａおよび制御部２３，２３ａを端末装置それぞれ端末装置１，１ａ内に設けて、通信をすることなく端末装置１，１ａのみで地図情報を表示可能な情報処理装置あるいは情報表示装置を構成してもよい。この場合、適宜探索要求送信部１２４や探索要求受信部２３２等を省略してもよい。同様に、端末装置１，１ａ内の構成要件の少なくとも一部がそれぞれサーバ２，２ａ内にあってもよい。
【００８３】
また、情報処理システムは、必ずしも経路探索を行った経路についての健康指標値を算出するのではなく、通勤経路等予め定めた経路についての健康指標値を、パラメータ情報を考慮して算出してもよい。
【００８４】
上述した実施形態で説明した情報処理システムの少なくとも一部は、ハードウェアで構成してもよいし、ソフトウェアで構成してもよい。ソフトウェアで構成する場合には、情報処理システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００８５】
また、情報処理システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００８６】
上記の記載に基づいて、当業者であれば、本発明の追加の効果や種々の変形を想到できるかもしれないが、本発明の態様は、上述した個々の実施形態には限定されるものではない。特許請求の範囲に規定された内容およびその均等物から導き出される本発明の概念的な思想と趣旨を逸脱しない範囲で種々の追加、変更および部分的削除が可能である。
【符号の説明】
【００８７】
１，１ａ  端末装置
１１  通信部
１２，１２ａ  制御部
１２１  操作入力部
１２２  出力部
１２３  探索条件設定部
１２４  探索要求送信部
１２５  パラメータ情報取得部
１２６  情報受信部
１２７  現在地取得部
１２８  目標設定部
２，２ａ  サーバ
２１  通信部
２２，２２ａ  記憶部
２２１  経路ネットワーク情報記憶部
２２２  指標値記憶部
２３，２３ａ  制御部
２３１  経路ネットワーク情報取得部
２３２  探索要求受信部
２３３  経路探索部
２３４  パラメータ情報取得部
２３５  指標値算出部
２３６  経路案内部
２３７  統計処理部
３  ネットワーク
【図１】
2013198656.tif 000003
【図２】
2013198656.tif 000004
【図３】
2013198656.tif 000005
【図４】
2013198656.tif 000006
【図５】
2013198656.tif 000007
【図６】
2013198656.tif 000008
【図７】
2013198656.tif 000009
【図８】
2013198656.tif 000010
【図９】
2013198656.tif 000011